(57)【要約】【課題】ＩＣコインを外部に取り出して回収する作業が簡単であり、そのための回収機構が廉価に構成されたＩＣコイン処理装置を備えた遊技台用台間機を提案すること。【解決手段】遊技台用台間機１のＩＣコイン処理装置５は、自重によりＩＣコインが滑落可能なＩＣコイン収納通路１１を備え、その底がＩＣコイン回収用シャッター３４により封鎖されている。ＩＣコイン収納通路１１の下端が繋がっているＩＣコイン回収口１６の下側にはＩＣコイン回収箱１９の係合フック１９ａを上側から差込可能な係合溝２０ａを備えた回収具取付部２０が配置されている。ＩＣコインの回収は、ＩＣコイン回収箱１９を前面パネル１２に取り付けた後、リモートコントローラ１８を操作してＩＣコイン回収用シャッター３４を開く。ＩＣコインが自重によりＩＣコイン回収口１６から外側に落下してＩＣコイン回収箱１９に回収される。【選択図】図１
2008073278.tif 000002
【特許請求の範囲】
【請求項１】
ＩＣコイン収納部と、
このＩＣコイン収納部に収納されているＩＣコインが自重により装置外部に落下可能なＩＣコイン回収口と、
このＩＣコイン回収口からＩＣコインが落下しないように当該ＩＣコイン回収口を封鎖しているＩＣコイン回収用シャッターと、
このＩＣコイン回収用シャッターを開閉するための開閉手段と、
前記ＩＣコイン回収口から落下するＩＣコインを回収するために用いるＩＣコイン回収具を着脱可能な状態で取り付けるための回収具取付部と、
を有していることを特徴とするＩＣコイン処理装置。
【請求項２】
請求項１において、
前記開閉手段を駆動するための手動操作部材、および／または、リモートコントローラを有していることを特徴とするＩＣコイン処理装置。
【請求項３】
請求項２において、
ＩＣコインに対するデータの読み書きを行うＩＣコインリーダーライターと、
このＩＣコインリーダーライターのデータ読み書き位置にＩＣコインを保持するためのＩＣコイン保持部材とを有し、
前記ＩＣコイン収納部は、前記データ読み書き位置から回収対象のＩＣコインが自重により落下可能なＩＣコイン収納口と、このＩＣコイン収納口から前記ＩＣコイン回収口まで延びているＩＣコイン収納通路とを備えており、
前記ＩＣコイン保持部材として、前記ＩＣコイン収納口を封鎖しているＩＣコイン収納用シャッターが備わっており、
前記ＩＣコイン収納通路は、ＩＣコインが一枚ずつ通過可能で、ＩＣコインを自重により当該ＩＣコイン収納通路に沿って前記ＩＣコイン回収口に向けて移動させ、前記ＩＣコイン回収用シャッターの上に直径方向に一枚ずつ積み重ねられた状態で収納可能な通路構造のものであり、
前記ＩＣコイン収納用シャッターが開くと、前記データ読み書き位置から前記ＩＣコイン収納口を介して前記ＩＣコイン収納通路内にＩＣコインが自重により移動するようになっていることを特徴とするＩＣコイン処理装置。
【請求項４】
請求項３において、
前記データ読み書き位置から返却対象のＩＣコインが自重により落下可能なＩＣコイン出口と、
返却対象のＩＣコインを装置外部に返却するためのＩＣコイン返却口と、
前記ＩＣコイン出口から前記ＩＣコイン返却口まで延びているＩＣコイン返却通路とを有し、
前記ＩＣコイン保持部材として、前記ＩＣコイン出口を封鎖しているＩＣコイン出口用シャッターが備わっており、
前記ＩＣコイン返却通路は、ＩＣコインが一枚ずつ通過可能で、ＩＣコインを自重により当該ＩＣコイン返却通路に沿って移動させて前記ＩＣコイン返却口まで案内可能な通路構造であることを特徴とするＩＣコイン処理装置。
【請求項５】
請求項３または４において、
ＩＣコインを投入するためのＩＣコイン投入口と、
投入されたＩＣコインを自重により移動させて前記データ読み書き位置に案内可能なＩＣコイン入口通路とを有していることを特徴とするＩＣコイン処理装置。
【請求項６】
請求項５において、
前記ＩＣコイン投入口、前記ＩＣコイン返却口、前記ＩＣコイン回収口および前記回収具取付部は、装置前面に配置されていることを特徴とするＩＣコイン処理装置。
【請求項７】
請求項６において、
前記回収具取付部は、前記ＩＣコイン回収具に形成されている係合フックを、上側から差込可能な係合溝を備えていることを特徴とするＩＣコイン処理装置。
【請求項８】
隣接配置されている遊技台でプレイをするために用いる遊技媒体の貸し出し処理を行う遊技台用台間機において、
請求項１ないし７のうちのいずれかの項に記載のＩＣコイン処理装置が内蔵されていることを特徴とする遊技台用台間機。
【請求項９】
請求項８において、
前記ＩＣコイン投入口、前記ＩＣコイン返却口、前記ＩＣコイン回収口および前記回収具取付部が形成された台間機前面パネルを備えていることを特徴とする遊技台用台間機。
【発明の詳細な説明】
【技術分野】
【０００１】
本発明は、遊技媒体の貸し出し処理をＩＣコインを用いたプリペイド方式により行う場合などに用いられるＩＣコイン処理装置、および、ＩＣコイン処理装置が内蔵された遊技台用台間機に関するものである。
【背景技術】
【０００２】
ＩＣメモリチップが内蔵されたＩＣコインを用いたプリペイド方式により遊技媒体の貸し出し処理を行うことのできる遊技台用台間機が知られている。かかる遊技台用台間機では、ＩＣコインの発行、返却、回収、およびデータの読み書き処理を行うＩＣコイン処理装置が組み込まれている。遊技者が紙幣などの金銭を投入すると、投入金額を表す価値データが書き込まれたＩＣコインが発行される。ＩＣコインを使用して遊技媒体の貸し出しを受けると、そこに記憶されている価値データが、貸し出し金額分だけ減算処理された値に更新される。価値データの表す残金が残っているＩＣコインは遊技者に返却され、残高が零になったＩＣコインはＩＣコイン処理装置の収納部に回収されるようになっている。
【０００３】
特許文献１には、このようなＩＣコイン処理装置が内蔵された台間貸出機が開示されている。ここに開示されている台間貸出機では、ゲームが行われた後にＩＣコインの遊技媒体データ(残度数)が無くなった場合、当該ＩＣコインはＩＣコインリーダーライターにより初期化された後に、ＩＣコイン回収通路を通り、内蔵のＩＣコイン回収箱に回収される。また、台間貸出機の前面にはＩＣコイン回収箱開放キーが取り付けられている。
【特許文献１】特開２００１−３００１１７号公報
【発明の開示】
【発明が解決しようとする課題】
【０００４】
遊技台用台間機(台間貸出機)に内蔵のＩＣコイン回収箱にＩＣコインを回収する回収機構では、ＩＣコイン回収箱からＩＣコインを取り出す回収作業が定期的に必要である。上記の特許文献１に開示の機構では、ＩＣコイン回収箱を遊技台用台間機から取り出すためには、ＩＣコイン回収箱開放キーを解除し、ＩＣコイン回収箱を外に取り出し、その中に溜まっているＩＣコインをＩＣコイン回収箱から別の回収箱に移して空にし、しかる後にＩＣコイン回収箱を再び遊技台用台間機の内部に戻してキーを掛ける作業が必要である。
【０００５】
このように、遊技台用台間機に内蔵されているＩＣコイン回収箱にＩＣコインを回収する機構では、当該ＩＣコイン回収箱に貯まったＩＣコインを外部に回収する作業を、例えばワンタッチの操作で行うことができず、手間が掛かるという課題がある。
【０００６】
また、ＩＣコイン回収箱を遊技台用台間機から着脱可能な機構とする必要があり、施錠機構を取り付けてＩＣコイン回収箱を無断で取り出すことができないようにする必要がある。このような機構は、遊技台用台間機のコスト高の要因となっている。
【０００７】
本発明の課題は、内部に回収されたＩＣコインを外部に取り出して回収する作業を簡単に行うことができ、また、そのための回収機構が廉価に構成されたＩＣコイン処理装置、および、当該ＩＣコイン処理装置が組み込まれている遊技台用台間機を提案することにある。
【課題を解決するための手段】
【０００８】
上記の課題を解決するために、本発明のＩＣコイン処理装置は、
ＩＣコイン収納部と、
このＩＣコイン収納部に収納されているＩＣコインが自重により装置外部に落下可能なＩＣコイン回収口と、
このＩＣコイン回収口からＩＣコインが落下しないように当該ＩＣコイン回収口を封鎖しているＩＣコイン回収用シャッターと、
このＩＣコイン回収用シャッターを開閉するための開閉手段と、
前記ＩＣコイン回収口から落下するＩＣコインを回収するために用いるＩＣコイン回収具を着脱可能な状態で取り付けるための回収具取付部とを有していることを特徴としている。
【０００９】
本発明のＩＣコイン処理装置では、ＩＣコイン回収具、例えば、回収箱あるいは回収袋を回収具取付部に取り付け、ＩＣコイン回収用シャッターを開けると、ＩＣコイン収納部に収納されたＩＣコインが自重によりＩＣコイン回収口から落下して回収箱あるいは回収袋に回収される。したがって、簡単な操作で内部に溜まったＩＣコインを外部に回収できる。また、内蔵のＩＣコイン収納部を外部に引き出すための機構、その施錠機構などが不要になるので、ＩＣコインを外部に回収するための機構を廉価に構成できる。
【００１０】
ここで、前記開閉手段を駆動する手動操作部材、および／または、リモートコントローラを配置し、これらを操作して前記ＩＣコイン回収用シャッターを開閉することができる。
【００１１】
また、本発明のＩＣコイン処理装置は、ＩＣコインに対するデータの読み書きを行うＩＣコインリーダーライターと、このＩＣコインリーダーライターのデータ読み書き位置にＩＣコインを保持するためのＩＣコイン保持部材とを備えた構成とすることができる。この場合には、前記ＩＣコイン収納部を、前記データ読み書き位置から回収対象のＩＣコインが自重により落下可能なＩＣコイン収納口と、このＩＣコイン収納口から前記ＩＣコイン回収口まで延びているＩＣコイン収納通路とを備えた構成とすることができる。また、前記ＩＣコイン保持部材として、前記ＩＣコイン収納口を封鎖しているＩＣコイン収納用シャッターを配置し、前記ＩＣコイン収納通路を、ＩＣコインが一枚ずつ通過可能で、ＩＣコインを自重により当該ＩＣコイン収納通路に沿って前記ＩＣコイン回収口に向けて移動させ、前記ＩＣコイン回収用シャッターの上に直径方向に一枚ずつ積み重ねられた状態で収納可能な通路構造のものとすることができる。さらに、前記ＩＣコイン収納用シャッターが開くと、前記データ読み書き位置から前記ＩＣコイン収納口を介して前記ＩＣコイン収納通路内にＩＣコインが自重により移動するように構成することができる。
【００１２】
次に、本発明のＩＣコイン処理装置は、前記データ読み書き位置から返却対象のＩＣコインが自重により落下可能なＩＣコイン出口と、返却対象のＩＣコインを装置外部に返却するためのＩＣコイン返却口と、前記ＩＣコイン出口から前記ＩＣコイン返却口まで延びているＩＣコイン返却通路とを有し、前記ＩＣコイン保持部材として、前記ＩＣコイン出口を封鎖しているＩＣコイン出口用シャッターが備わっており、前記ＩＣコイン返却通路は、ＩＣコインが一枚ずつ通過可能で、ＩＣコインを自重により当該ＩＣコイン返却通路に沿って移動させて前記ＩＣコイン返却口まで案内可能な通路構造であることを特徴としている。
【００１３】
また、本発明のＩＣコイン処理装置は、ＩＣコインを投入するためのＩＣコイン投入口と、投入されたＩＣコインを自重により移動させて前記データ読み書き位置に案内可能なＩＣコイン入口通路とを有していることを特徴としている。
【００１４】
この場合、前記ＩＣコイン投入口、前記ＩＣコイン返却口、前記ＩＣコイン回収口および前記回収具取付部を装置前面に配置しておけばよい。
【００１５】
また、前記回収具取付部は、前記ＩＣコイン回収具に形成されている係合フックを、上側から差込可能な係合溝とすることができる。
【００１６】
一方、本発明は、隣接配置されている遊技台でプレイをするために用いる遊技媒体の貸し出し処理を行う遊技台用台間機において、上記構成のＩＣコイン処理装置が内蔵されていることを特徴としている。
【００１７】
ここで、台間機前面パネルに、前記ＩＣコイン投入口、前記ＩＣコイン返却口、前記ＩＣコイン回収口および前記回収具取付部を形成しておけばよい。
【発明の効果】
【００１８】
本発明のＩＣコイン処理装置では、回収具取付部に回収箱あるいは回収袋を取り付け、ＩＣコイン回収用シャッターを開けると、内蔵のＩＣコイン収納部に貯まっているＩＣコインが自重によりＩＣコイン回収口から落下して回収箱あるいは回収袋に回収される。
【００１９】
したがって、開錠して内蔵のＩＣコイン回収箱を外に取り出し、取り出したＩＣコイン回収箱からＩＣコインを別の回収箱などに移してＩＣコイン回収箱を空にして、再び装置に戻して施錠するという従来の回収作業に比べて、ＩＣコインを装置の外に取り出して回収する作業が極めて簡単になる。
【００２０】
また、内蔵のＩＣコイン回収箱を着脱可能に取り付ける機構、取り外すことができないように施錠しておく機構などが不要になるので、ＩＣコインの回収機構を廉価に構成することができる。
【発明を実施するための最良の形態】
【００２１】
以下に、図面を参照して、本発明を適用した遊技台用台間機の一例を説明する。
【００２２】
(全体構成)
図１および図２は、それぞれ、遊技台用台間機の分解斜視図および正面図である。本例の遊技台用台間機１は、一般遊技者(ビジター)用のＩＣコインを用いたプリペイド方式により遊技媒体の貸し出し処理を行うことができるものである。
【００２３】
遊技台用台間機１は、遊技店の遊技島に配列されている遊技台(図示せず)の間の縦長の狭い隙間に、前向きの垂直姿勢で遊技島枠(図示せず)に取り付けられる台間機ホルダ２と、この台間機ホルダ２に対して前方から着脱可能な状態で装着される台間機本体３とから構成されている。
【００２４】
台間機本体３は、全体として縦長の扁平な直方体形状のシャーシ４を備えており、このシャーシ４には、ＩＣコイン処理装置５、制御ボックス６および電源ボックス７が取り付けられている。ＩＣコイン処理装置５は、ＩＣコインリーダーライター８、ＩＣコイン入口通路９、ＩＣコイン返却通路１０、およびＩＣコイン収納通路１１を備えている。ＩＣコインリーダーライター８は、台間機本体３の最も上の部位に配置されており、この下方に、上側から制御ボックス６および電源ボックス７がこの順序で配置されている。
【００２５】
シャーシ４の前面には前面パネル１２が取り付けられている。前面パネル１２の上端部には、遊技台用台間機１が遊技媒体の貸し出しが可能な状態であるか否か等の状態を表示するための貸出可ランプ１３が配置されている。この下側の部位にはＩＣコイン投入口１４が形成されている。前面パネル１２の上下方向の中程の部位にはＩＣコイン返却口１５が形成されており、前面パネル１２の下端側の部位にはＩＣコイン回収口１６が形成されている。
【００２６】
前面パネル１２におけるＩＣコイン投入口１４の下側の部位にはリモコン受光窓１７が配置されており、ここを介してリモートコントローラ１８からの光信号を受信可能となっている。また、前面パネル１２におけるＩＣコイン回収口１６の下側の部位には、ＩＣコイン回収箱１９に形成されている係合フック１９ａを上側から取り外し可能に差し込むことのできる係合溝２０ａを備えた回収具取付部２０が形成されている。なお、前面パネル１２の上下方向の中程の位置に形成されているフロントバー２１は、台間機本体３を台間機ホルダ２に対して着脱する際に把手として用いるものである。
【００２７】
次に、ＩＣコイン処理装置５の各部の構造を詳細に説明する。ＩＣコインリーダーライター８の上下方向の中程の部位にはＩＣコインに対するデータの読み書きを行うためのアンテナ２２が内蔵されており、ＩＣコイン入口通路９は、ＩＣコイン投入口１４からアンテナ２２によるデータ読み書き位置２２ａまで延びている。ＩＣコイン入口通路９は、一枚のＩＣコインＣのみが垂直に立った状態で通過可能な通路断面形状をしている。また、ＩＣコインＣが自重により落下あるいは滑落できるように、ＩＣコイン投入口１４の側の部分が下方に傾斜した傾斜通路部分９ａとされ、これに連続して下方に垂直に延びる垂直通路部分９ｂが形成されており、当該垂直通路部分９ｂの下端部分がデータ読み書き位置２２ａとなっている。
【００２８】
データ読み書き位置２２ａの下側にはＩＣコイン収納通路１１が連続している。ＩＣコイン収納通路１１もＩＣコインが１枚ずつ自重により移動(落下あるいは滑落)可能な通路構造のものであり、データ読み書き位置２２ａの下側から下方に垂直に延びる垂直通路部分１１ａと、この下側に連続して左右に蛇行しながら下方に延びている蛇行通路部分１１ｂと、この下端に連続して装置前方に向けて下方に傾斜している傾斜通路部分１１ｃとを備えており、この傾斜通路部分１１ｃの下端がＩＣコイン回収口１６に繋がっている。
【００２９】
また、データ読み書き位置２２ａの装置前側の部位はＩＣコイン返却通路１０に連通している。ＩＣコイン返却通路１０もＩＣコインが１枚ずつ自重により移動(落下あるいは滑落)可能な通路構造のものであり、データ読み書き位置２２ａの前側から、下方に垂直に延びる垂直通路部分１０ａと、この下端から装置前方に湾曲してＩＣコイン返却口１５に繋がっている湾曲通路部分１０ｂとを備えている。
【００３０】
次に、ＩＣコイン入口通路９におけるＩＣコイン投入口１４の近傍には入口シャッター３１が配置されており、ＩＣコイン投入口１４を封鎖できるようになっている。データ読み書き位置２２ａとＩＣコイン収納通路１１の間にはＩＣコイン収納用シャッター３２が配置されている。このＩＣコイン収納用シャッター３２は、装置前方に向けて下に傾斜する状態で配置されている。また、データ読み書き位置２２ａの装置前側にはＩＣコイン出口用シャッター３３が垂直に配置されている。これらＩＣコイン収納用シャッター３２およびＩＣコイン出口用シャッター３３は常時は閉じており、ＩＣコインをデータ読み書き位置２２ａに保持するためのＩＣコイン保持部材として機能する。ＩＣコイン収納用シャッター３２を開くと、ＩＣコインがＩＣコイン収納通路１１に落下する。ＩＣコイン出口用シャッター３３を開くと、ＩＣコイン収納用シャッター３２に乗った状態でデータ読み書き位置２２ａに保持されているＩＣコインが、傾斜している当該ＩＣコイン収納用シャッター３２に沿って自重によりＩＣコイン返却通路１０に向けて転がり、当該ＩＣコイン返却通路１０に落下する。
【００３１】
ＩＣコイン収納通路１１における蛇行通路部分１１ｂと傾斜通路部分１１ｃの間には、ＩＣコイン回収用シャッター３４が水平に配置されている。このＩＣコイン回収用シャッター３４は常時は閉じており、ＩＣコイン収納通路１１の底面として機能し、この上に、ＩＣコインが一枚ずつ直径方向に積み重ねられた状態で当該ＩＣコイン収納通路１１内に収納されていく。ＩＣコイン回収用シャッター３４を開くと、ＩＣコイン収納通路１１に収納されているＩＣコインが自重により当該ＩＣコイン収納通路１１に沿って落下あるいは滑落してＩＣコイン回収口１６から装置外部に落下する。
【００３２】
一方、ＩＣコイン入口通路９におけるＩＣコイン投入口１４の近傍位置には入口センサ４１が配置されており、ＩＣコイン投入口１４からＩＣコインが投入されたことが検出される。ＩＣコインが投入されたことが検出されると、入口シャッター３１が閉じて、ＩＣコイン投入口１４からＩＣコインを投入できないようにする。データ読み書き位置２２ａの中心にはアクセスセンサ４２が配置されており、データ読み書き位置２２ａにＩＣコインが保持されていることが検出される。
【００３３】
ＩＣコイン収納通路１１における上側の垂直通路部分１１ａと蛇行通路部分１１ｂの繋ぎ目部分には収納コインニアフルセンサ４３が配置されており、このセンサによってＩＣコイン収納通路１１がＩＣコインで満杯間近になったことが検出される。ＩＣコイン収納通路１１の下端側には、ＩＣコイン回収用シャッター３４に乗っている最も下に収納されているＩＣコインを検出するための収納コインエンプティセンサ４４が配置されている。このセンサ４４によって、ＩＣコイン収納通路１１が空になったことが検出される。
【００３４】
さらに、ＩＣコイン返却通路１０における中程の部位には出口センサ４５が配置されており、ＩＣコインが返却されたことが検出されるようになっている。
【００３５】
なお、これらの各シャッター３１〜３４は例えば電磁ソレノイドなどを備えた開閉機構によって開閉されるようになっている。また、ＩＣコイン回収用シャッター３４の開閉機構は、リモートコントローラ１８からの光信号をリモコン受光窓１７を介して受光することにより駆動されて、ＩＣコイン回収用シャッター３４の開閉を行う。リモートコントローラ１８などを用いた遠隔操作の代わりに、前面パネル１２に開閉操作用の手動操作部材を配置し、これを操作してＩＣコイン回収用シャッター３４を開閉することもできる。
【００３６】
(動作説明)
このように構成されたＩＣコイン処理装置５を備えた遊技台用台間機１の概略動作を説明する。ＩＣコイン投入口１４からＩＣコインＣが投入されると、投入されたＩＣコインＣはＩＣコイン入口通路９を自重によって滑落して、データ読み書き位置２２ａに案内され、そこに保持される。ＩＣコインＣは入口センサ４１によって検出され、入口シャッター３１が閉じてＩＣコイン投入口１４が封鎖される。
【００３７】
データ読み書き位置２２ａに保持されたＩＣコインＣのコインデータが、アンテナ２２によって読み出される。プリペイド残高がある場合には遊技媒体の貸し出しが可能であり、貸し出し指令を受けると遊技台用台間機１によって遊技媒体の貸し出し処理が行われる。遊技媒体の貸し出し処理を行った後はプリペイド残高から貸し出し料を減算し、減算後の残高をＩＣコインＣに書き込む。
【００３８】
遊技終了後などにＩＣコインＣの返却指令が入力されると、プリペイド残高を確認し、残高が零の場合には、ＩＣコインＣを返却することなく内部に回収する。すなわち、ＩＣコイン収納用シャッター３２が開き、ＩＣコインＣがＩＣコイン収納通路１１に落下してその中に収納される。アクセスセンサ４２によってデータ読み書き位置２２ａにＩＣコインＣが無くなったことが検出されると、ＩＣコイン収納用シャッター３２が閉じ、入口シャッター３１が開き、ＩＣコインの投入が可能になる。
【００３９】
ＩＣコインＣの残高が零でない場合には、返却指令が入力されると、ＩＣコインＣをＩＣコイン返却口１５から返却する返却動作が行われる。この返却動作では、ＩＣコイン出口用シャッター３３が開き、ＩＣコインＣがＩＣコイン返却通路１０に落下して、その下端のＩＣコイン返却口１５に返却される。出口センサ４５によってＩＣコインＣが返却されたことが検出されると、ＩＣコイン出口用シャッター３３が閉じ、入口シャッター３１が開き、ＩＣコインの投入が可能になる。
【００４０】
次に、ＩＣコイン収納通路１１がＩＣコインで満杯に近い状態になると、それが収納コインニアフルセンサ４３によって検出される。この状態が、例えば、貸出可ランプ１３を点滅駆動するなどの表示によって店員に報知される。店員は表示を確認すると、リモートコントローラ１８およびＩＣコイン回収箱１９を携帯して当該遊技台用台間機１の設置場所に出向く。そして、ＩＣコイン回収箱１９の係合フック１９ａを、前面パネル１２の回収具取付部２０の係合溝２０ａに差し込み、当該ＩＣコイン回収箱１９を前面パネル１２のＩＣコイン回収口１６の下側に取り付ける。次に、リモートコントローラ１８を操作して、ＩＣコイン回収用シャッター３４を開く。
【００４１】
ＩＣコイン回収用シャッター３４が開くと、ＩＣコイン収納通路１１に収納されていたＩＣコインは、自重により当該ＩＣコイン収納通路１１を滑落して、ＩＣコイン回収口１６から装置前方に落下する。よって、ＩＣコインがＩＣコイン回収箱１９に自動的に回収される。ＩＣコイン回収後には、リモートコントローラ１８を操作して、ＩＣコイン回収用シャッター３４を閉じ、不図示のリセットボタンなどを操作することによって、貸出可ランプ１３の駆動をリセットする。ＩＣコインが回収されたＩＣコイン回収箱１９を遊技台用台間機１の前面から取り外して、所定の場所に持っていく。このようにして、ＩＣコインの回収が行われる。
【００４２】
以上説明したように、本例の遊技台用台間機１では、その内部に回収されているＩＣコインを取り出して回収する際には、ＩＣコイン回収箱１９を前面パネル１２におけるＩＣコイン回収口１６の下側に取り付けた後に、リモートコントローラ１８を操作してＩＣコイン回収用シャッター３４を開けるだけでよい。よって、ＩＣコインを回収する作業が極めて簡単になる。また、遊技台用台間機１にＩＣコイン回収箱を取り出し可能に内蔵させ、これを外部に取り出してＩＣコインを回収する場合に比べて、回収機構を廉価に構築できるという利点もある。
【００４３】
なお、本例の遊技台用台間機１は紙幣などの金銭を入金する機能が備わっていない。また、ＩＣカードを読み込み遊技媒体を貸し出す機能も備わっていない。勿論、これらの機能が備わっている遊技台用台間機に本発明を同様に適用可能である。
【図面の簡単な説明】
【００４４】
【図１】本発明を適用した遊技台用台間機の分解斜視図である。
【図２】図１の遊技台用台間機の正面図である。
【符号の説明】
【００４５】
１    遊技台用台間機
２    台間機ホルダ
３    台間機本体
４    シャーシ
５    ＩＣコイン処理装置
６    制御ボックス
７    電源ボックス
８    ＩＣコインリーダーライター
９    ＩＣコイン入口通路
１０  ＩＣコイン返却通路
１１  ＩＣコイン収納通路
１１ａ  垂直通路部分
１１ｂ  蛇行通路部分
１１ｃ  傾斜通路部分
１２  前面パネル
１３  貸出可ランプ
１４  ＩＣコイン投入口
１５  ＩＣコイン返却口
１６  ＩＣコイン回収口
１７  リモコン受光窓
１８  リモートコントローラ
１９  ＩＣコイン回収箱
１９ａ  係合フック
２０  回収具取付部
２０ａ  係合溝
２１  フロントバー
２２  アンテナ
２２ａ  データ読み書き位置
３１  入口シャッター
３２  ＩＣコイン収納用シャッター
３３  ＩＣコイン出口用シャッター
３４  ＩＣコイン回収用シャッター
４１  入口センサ
４２  アクセスセンサ
４３  収納コインニアフルセンサ
４４  収納コインエンプティセンサ
４５  出口センサ
Ｃ    ＩＣコイン
【図１】
2008073278.tif 000003
【図２】
2008073278.tif 000004